(57)【要約】【課題】  本発明は、ほぼ全ての人の足サイズに対応することができ、踵やアキレス腱に過度の負担をかけずに柔和で心地よい刺激を足裏に与えることができる新規なストレッチ器具を提供することを目的とする。【解決手段】  水平面に対してつま先上がりの傾斜状態を維持することができる足乗せ台を有するストレッチ器具であって、特に、前記足乗せ台の表面において、なだらかに窪む一対の足乗せ用凹部を設けたことを特徴とするストレッチ器具。【選択図】  図７
2006204466.tif 000002
【特許請求の範囲】
【請求項１】
水平面に対してつま先上がりの傾斜状態を維持することができる足乗せ台を有するストレッチ器具であって、特に、前記足乗せ台の表面において、なだらかに窪む一対の足乗せ用凹部を設けたことを特徴とするストレッチ器具。
【請求項２】
足乗せ用凹部の形状が略足裏型である請求項１に記載のストレッチ器具。
【請求項３】
足乗せ用凹部における土踏まずに対応する位置に、当該足乗せ用凹部の中央部に向かってなだらかに張り出す土踏まず接触用張り出し部を設けた請求項１又は２に記載のストレッチ器具。
【発明の詳細な説明】
【技術分野】
【０００１】
本発明は、アキレス腱、腓腹筋、反腱様筋、大腿二頭筋及び大臀筋などの主として身体の後部に存在する筋肉及び腱に対してストレッチングを施すためのストレッチ器具に関する。
【背景技術】
【０００２】
ストレッチング（ストレッチ体操）は、伸展柔軟運動ともいい、筋肉及び腱の緊張を取り去ると共に身体の柔軟性を向上することを目的として、身体各部の筋肉及び腱を意識的に伸展させる運動であり、例えば、スポーツ前の準備運動として行えば、アキレス腱などの腱の断裂や肉離れなどの不慮の事故を防止する効果があり、又、スポーツ後の整理体操として行えば、腱や筋肉の緊張を和らげ、早期疲労回復にも役立つものである。
【０００３】
更に、ストレッチングは、スポーツ時における準備体操や整理体操のみならず、日常的に行えば、身体の柔軟性を維持・促進して若さや健康を保つ上、血行や新陳代謝を促進して美容にも役立つとされており、その手軽さとも相成って、一般にも広く普及している。
【０００４】
このような背景から、近年、家庭内で極簡単にストレッチングができる器具として、水平面に対してつま先上がりの傾斜状態を維持することができる足乗せ台を有するストレッチ器具が多く開発されている（例えば、特許文献１〜１１。）。
【０００５】
【特許文献１】特開平５−２９３１５４号公報
【特許文献２】特開平７−２５５８１８号公報
【特許文献３】特開平１０−２７７１０７号公報
【特許文献４】特開平１１−２９９９２６号公報
【特許文献５】特開２０００−３１７０１３号公報
【特許文献６】特開２００１−１７５６６号公報
【特許文献７】特開２００１−３１４２８０号公報
【特許文献８】特開２００１−３１４４８０号公報
【特許文献９】特開２００３−１８０７２０号公報
【特許文献１０】特開２００３−２９９７４９号公報
【特許文献１１】特開２００３−３１０７９９号公報
【０００６】
これら特許文献１〜１１に記載のストレッチ器具は、地面や床面などの水平面に対してつま先上がりの傾斜角を有する足乗せ台上に使用者が数十秒から数分間乗るだけで、アキレス腱、腓腹筋、反腱様筋、大腿二頭筋及び大臀筋などの主として身体の後部に存在する筋肉及び腱に対してストレッチングを施すことができるものであり、手軽で、安価、且つ大きな設置スペースを要さないことから、現在、多くの愛用者がいる。
【発明の開示】
【発明が解決しようとする課題】
【０００７】
ところで、これら従来のストレッチ器具の多くは、足載せ台の表面が略平面状となっており、そのため、使用者が当該足載せ台から滑り落ちないように、当該足載せ台の後端に突起や壁面などによるストッパを設け、当該ストッパに使用者の踵を接触させて、それ以上滑り落ちないように構成されているものが殆どである。
【０００８】
しかしながら、このような構成では、使用者の体重が踵に集中して掛かるため、長期の使用により踵やアキレス腱を痛める虞がある。
【０００９】
又、足載せ台の表面一面に突起を設けたものや、足載せ台の表面に足型のマークを描くと共に足裏に存在するいわゆるツボを刺激する突起を複数設けたものなどもあるが、これらの突起による刺激は、人によっては耐え難い苦痛を伴うものであり、又、足サイズの違いにより、人によっては正確なツボを刺激できないといった欠点もある。
【００１０】
そこで、本発明者は、このような問題を解決すべく鋭意検討を重ねた結果、水平面に対してつま先上がりの傾斜状態を維持することができる足乗せ台を有するストレッチ器具であって、特に、前記足乗せ台の表面において、なだらかに窪む一対の足乗せ用凹部を設けたことを特徴とするストレッチ器具を完成するに至ったのである。
【００１１】
即ち、本発明者は、水平面に対してつま先上がりの傾斜状態を維持することができる足乗せ台を有するストレッチ器具において、足乗せ台の表面になだらかに窪む一対の足乗せ用凹部を設けることにより、踵の一部分だけではなく、足裏のほぼ全体で体重を支えることができ、足載せ台からの滑り落ちを防止することができる上、アキレス腱や踵に過度の負担を与えることが無くなるとの知見を得たのである。
【００１２】
又、なだらかに窪む足乗せ用凹部は、足サイズが異なるほぼ全ての人に対して同様のフィット感を与え、柔和で心地よい刺激を足裏に与えることができるとの知見も得たのである。
【００１３】
本発明は、上記知見に基づき完成されたものであり、ほぼ全ての人の足サイズに対応することができ、踵やアキレス腱に過度の負担をかけずに柔和で心地よい刺激を足裏に与えることができる新規なストレッチ器具を提供することを目的とする。
【課題を解決するための手段】
【００１４】
以上の課題を解決する手段である本発明のストレッチ器具は、水平面に対してつま先上がりの傾斜状態を維持することができる足乗せ台を有するストレッチ器具であって、特に、前記足乗せ台の表面において、なだらかに窪む一対の足乗せ用凹部を設けたことを特徴とする。
以下、本発明のストレッチ器具について詳細に説明する。
【００１５】
本発明のストレッチ器具は、地面や床面などの水平面に対してつま先上がりの傾斜状態を維持することができる足乗せ台を有するストレッチ器具であり、即ち、使用者が、前記足乗せ台上に乗ることにより、自然につま先上がりの体勢となり、そのままの体勢で数十秒から数分間乗っているだけでも、アキレス腱、腓腹筋、反腱様筋、大腿二頭筋及び大臀筋などの主として身体の後部に存在する筋肉及び腱に対して充分なストレッチングを施すことができるものである。
【００１６】
ここで、本発明のストレッチ器具において、水平面に対して足乗せ台をつま先上がりの傾斜状態に維持する手段としては、特に限定されるものではなく、公知の方法を適宜採用すれば良いのであるが、具体的に例えば、単に足乗せ台と水平面の間に何らかの部材（板材、ブロック材、柱材等）を介在させて、当該介在させた部材の分だけ傾斜角を得たり、足乗せ台とは別の基台（ベースフレーム）と足乗せ台の一端をネジや軸或いは蝶番などを用いて回動可能に連結した上で、足乗せ台と基台の間に何らかの部材（板材、ブロック材、柱材等）を介在さて、当該介在させた部材の分だけ傾斜角を得たりする手段などを挙げることができる。
【００１７】
又、本発明においては、水平面と足乗せ台とが作る傾斜角につき、連続的ないし段階的に変更できるように構成することが好ましく、例えば、前記介在させる部材の設置位置を変更できるようにしたり、介在させる部材を任意に変更できるようにしたり、介在させる部材の大きさを調節できるようにしたり、更に、スクリューナット、ウォームギア或いはラックピニオン機構などを単独ないしは併用して、基台と足乗せ台の回動可能な状態を任意の角度で維持・固定する係止手段などを設け、傾斜角度を調節できるようにすることが好ましい。
【００１８】
なお、本発明において足乗せ台を構成する素材としては、使用の際に使用者の体重が継続的に加えられても簡単に破損・変形しない程度の物理的強度を有するものであれば、特に限定されるものではなく、公知の木製材料、金属製材料又は高分子材料等から選ばれた少なくとも１種を適宜選択して用いることができるが、その中でも、足裏との接触感及び風合いを向上することができる木製材料を用いることが特に好ましい。
【００１９】
そして、本発明のストレッチ器具においては、前記足乗せ台の表面に、なだらかに窪む一対の足乗せ用凹部を設けた点に最も大きな特徴を有する。
【００２０】
即ち、足乗せ台の表面に設けられたなだらかに窪む足乗せ用凹部は、当該凹部の底に向かって滑らかな曲線を描いて窪んでいるため、言い換えれば、当該凹部の底に向かって水平断面が連続的に小さくなることから、足サイズの大きい人にあっては当該凹部の上方で、足サイズの小さい人にあっては当該凹部の下方で足裏周りがソフトに保持されることになり、足サイズにかかわらず、ほぼ全ての人に対して同様のフィット感を与え、柔和で心地よい刺激を足裏に与えることができるのである。
【００２１】
又、使用の際に、足乗せ用凹部において足裏周りがソフトに保持されることから、踵の一部分だけではなく、足裏のほぼ全体で体重を支えることができ、足載せ台からの滑り落ちを防止することができる上、アキレス腱や踵に過度の負担を与えることが無くなるのである。
【００２２】
更に、なだらかに窪む足乗せ用凹部に足裏を乗せることにより、足裏周囲が心地よく締め付けられると共に当該足裏にほぼ理想的なアーチ構造を付与することができるため、疲労回復の促進や外反母趾などの変形性疾患の治癒・緩和を実現することもできるのである。
【００２３】
なお、前記足乗せ用凹部の形状、大きさについては、通常の人の足裏がすっぽりと収まる程度の形状及び大きさであれば特に限定されるものではないが、一般的には、長さ方向（足乗せ台の傾斜方向）の長さが約２５〜３５ｃｍ程度、幅方向の長さが約１０〜１５ｃｍ程度の縦長の形状、例えば、角を丸めた長方形や台形、或いは楕円形などの形状とすることが好ましく、特に、足裏へのフィット感を更に向上させるために、当該足乗せ用凹部の形状を略足裏型とすることが好ましい。
【００２４】
ここで、「略足裏型」の形状とは、裸足の足裏や靴下を履いた状態の足裏の形状、或いは靴底の形状などを模した形状の意味であり、即ち、足裏の形状をそっくりそのまま模した形状のみに限定されるものではなく、足裏の形状にある程度似せたものと認識できるものであればこの「略足裏型」の形状に含まれるという意味である。
【００２５】
又、前記足乗せ用凹部の窪みの程度については、特に限定されるものではないが、一般的には、一番深く窪んだ部分で約２〜５ｃｍ程度の窪みとなるようにすることが好ましい。
【００２６】
もっとも、本発明においては、前記足乗せ用凹部につき、その底に向かって一律になだらかに窪むように形成しても良いが、特に、前記足乗せ用凹部における土踏まずに対応する位置に、当該足乗せ用凹部の中央部に向かってなだらかに張り出す土踏まず接触用張り出し部を設けることが好ましい。
【００２７】
即ち、前記足乗せ用凹部における土踏まずに対応する位置に、なだらかに盛り上がる土踏まず接触用張り出し部を設けることにより、足裏に存するいわゆる「土踏まず」をソフトに刺激すると共に足裏により一層理想的なアーチ構造を付与することができ、疲労回復の促進や外反母趾などの変形性疾患の治癒・緩和をより促進することが可能になる上、足裏へのフィット感及び足裏足乗せ用凹部との接触性が向上することから、使用の際に、より一層足裏全体で体を支えることができるようになるのである。
【００２８】
なお、本発明において、足乗せ台の表面において足乗せ用凹部を設ける方法としては、特に限定されるものではないが、当該足乗せ台を形作る素材として、例えば、金属材料や高分子材料などを選択した場合は、プレス成型や型枠成型などの手段により所望の窪み形状を設けることができ、又、木製材料などを選択した場合にあっては、三次元加工機などを用いてその表面を削り出すことにより所望の窪み形状設けることができる。
【発明の効果】
【００２９】
本発明は、前記構成を有し、ほぼ全ての人の足サイズに対応することができ、踵やアキレス腱に過度の負担をかけずに、柔和で心地よい刺激を足裏に与えることができる新規なストレッチ器具である。
【００３０】
即ち、本発明のストレッチ器具は、水平面に対してつま先上がりの傾斜状態を維持することができる足乗せ台を有するストレッチ器具であって、特に、前記足乗せ台の表面において、なだらかに窪む一対の足乗せ用凹部を設けたことを特徴とするものであり、前記足乗せ用凹部は、足乗せ台の表面において当該凹部の底に向かって滑らかな曲線を描いて窪んでいるため、言い換えれば、当該凹部の底に向かって水平断面が徐々に小さくなることから、足サイズの大きい人にあっては当該凹部の上方で、足サイズの小さい人にあっては当該凹部の下方で足裏周りがソフトに保持されることになり、足サイズにかかわらず、ほぼ全ての人に対して同様のフィット感を与え、柔和で心地よい刺激を足裏に与えることができるのである。
【００３１】
又、使用の際に、足乗せ用凹部において足裏周りがソフトに保持されることから、踵の一部分だけではなく、足裏のほぼ全体で体を支えることができ、足載せ台からの滑り落ちを防止することができる上、アキレス腱や踵に過度の負担を与えることが無くなるのである。
【００３２】
更に、なだらかに窪む足乗せ用凹部に足裏を乗せることにより、足裏周囲が心地よく締め付けられると共に足裏にほぼ理想的なアーチ構造を付与することができるため、疲労回復の促進や外反母趾などの変形性疾患の治癒・緩和を実現することができるのである。
【発明を実施するための最良の形態】
【００３３】
以下、本発明の実施例を説明するが、本発明はこの実施例に限定されるものではない。
【実施例１】
【００３４】
図１は、実施例１に係る本発明のストレッチ器具１を示す分解斜視図であり、このストレッチ器具１は、基台２、足乗せ台３及び介在板４からなり、更に、図２の斜視図に示すように、前記基台２と前記足乗せ台３の端部同士を蝶番５で接合することにより、前記基台２に対して前記足乗せ台３が回動できるように構成されたものである。
【００３５】
なお、図３は、前記ストレッチ器具１を示す６面図（（ａ）正面図、（ｂ）平面図、（ｃ）右側面図、（ｄ）背面図、（ｅ）底面図、（ｆ）左側面図）である。
【００３６】
又、図４は、前記ストレッチ器具１における前記基台２を示す６面図（（ａ）正面図、（ｂ）平面図、（ｃ）右側面図、（ｄ）背面図、（ｅ）底面図、（ｆ）左側面図）である。
【００３７】
更に、図５は、前記ストレッチ器具１における前記足乗せ台３を示す６面図（（ａ）正面図、（ｂ）平面図、（ｃ）右側面図、（ｄ）背面図、（ｅ）底面図、（ｆ）左側面図）である。
【００３８】
加えて、図６は、前記ストレッチ器具１における介在板４を示す６面図（（ａ）正面図、（ｂ）平面図、（ｃ）右側面図、（ｄ）背面図、（ｅ）底面図、（ｆ）左側面図）である。
【００３９】
即ち、本実施例に係るストレッチ器具１における基台２の表面には、介在板４を立てた状態ではめ込むための溝２１が複数本設けられており、図７の斜視図に示すように、この溝２１のいずれかに介在板４を立てた状態ではめ込むことにより、足乗せ台３が地面や床面などの水平面に対してつま先上がりの傾斜状態を維持できるように構成されている。
【００４０】
又、本実施例に係るストレッチ器具１における基台２の表面には、介在板４を横に寝かしてはめ込むための凹部２２が設けられており、ストレッチ器具１の保管時ないし不使用時においては、この凹部２２に介在板を横に寝かしてはめ込むことにより、コンパクトな保管が可能となるように構成されている。
【００４１】
更に、本実施例に係るストレッチ器具における足乗せ台３の両側面下部には、その長さ方向に沿って切り欠き溝３１が設けられており、この切り欠き溝３１は、前記足乗せ台３を回動させる際に、誤って使用者の手指が基台２と足乗せ台３との間に挟まれないように設けられたものである。
【００４２】
そして、図８のグリッド線を付した斜視図に示すように、本実施例に係るストレッチ器具１における足乗せ台３の表面には、なだらかに窪む一対の略足裏型の足乗せ用凹部６が設けられており、又、当該足乗せ用凹部６における土踏まずに対応する位置には、当該足乗せ用凹部６の中央部に向かってなだらかに張り出す土踏まず接触用張り出し部６１が設けられている。
【００４３】
即ち、本実施例に係るストレッチ器具１においては、足乗せ台３の表面において、なだらかに窪む略足裏型の足乗せ用凹部６が設けられていることから、足サイズの大きい人にあっては当該足乗せ用凹部６の上方で、足サイズの小さい人にあっては当該足乗せ用凹部６の下方で足裏周りがソフトに保持されることになり、足サイズにかかわらず、ほぼ全ての人に対して同様のフィット感を与え、柔和で心地よい刺激を足裏に与えることができるのである。
【００４４】
又、使用の際に、足乗せ用凹部６において足裏周りがソフトに保持されることから、踵の一部分だけではなく、足裏のほぼ全体で体を支えることができ、足載せ台３からの滑り落ちを防止することができる上、アキレス腱や踵に過度の負担を与えることが無くなるのである。
【００４５】
更に、なだらかに窪む足乗せ用凹部６に足裏を乗せることにより、足裏周囲が心地よく締め付けられると共に足裏にほぼ理想的なアーチ構造を付与することができるため、疲労回復の促進や外反母趾などの変形性疾患の治癒・緩和を実現することができるのである。
【００４６】
そして、本実施例に係るストレッチ器具１においては、前記足乗せ用凹部６における土踏まずに対応する位置に、当該足乗せ用凹部６の中央部に向かってなだらかに盛り上がる土踏まず接触用張り出し部６１が設けられていることから、足裏に存するいわゆる「土踏まず」をソフトに刺激すると共に足裏により一層理想的なアーチ構造を付与することができ、疲労回復の促進や外反母趾などの変形性疾患の治癒・緩和をより促進することが可能になる上、足裏へのフィット感及び足裏と足乗せ用凹部６との接触性が向上することから、使用の際に、より一層足裏全体で体を支えることができるのである。
【図面の簡単な説明】
【００４７】
【図１】図１は、実施例１に係る本発明のストレッチ器具を示す分解斜視図である。
【図２】図２は、実施例１に係る本発明のストレッチ器具における基台と足乗せ台の接合状態を示す斜視図である。
【図３】図３は、実施例１に係る本発明のストレッチ器具を示す６面図である。
【図４】図４は、実施例１に係る本発明のストレッチ器具における基台を示す６面図である。
【図５】図５は、実施例１に係る本発明のストレッチ器具における足乗せ台を示す６面図である。
【図６】図６は、実施例１に係る本発明のストレッチ器具における介在板を示す６面図である。
【図７】図７は、実施例１に係る本発明のストレッチ器具の使用状態の一例を示す斜視図である。
【図８】図８は、実施例１に係る本発明のストレッチ器具における足乗せ用凹部の窪み形状をグリッド線を付した状態で示す斜視図である。
【符号の説明】
【００４８】
１  ストレッチ器具
２  基台
３  足乗せ台
４  介在板
５  蝶番
６  足乗せ用凹部
【図１】
2006204466.tif 000003
【図２】
2006204466.tif 000004
【図３】
2006204466.tif 000005
【図４】
2006204466.tif 000006
【図５】
2006204466.tif 000007
【図６】
2006204466.tif 000008
【図７】
2006204466.tif 000009
【図８】
2006204466.tif 000010